(57)【要約】      （修正有）【課題】広告効果を高めたレシート類を提供する。【解決手段】レジペーパー１の裏面２に購入店数が１点であるときの最少必要長さ７ａ，７ｂよりも短い長さの中に広告３とくじ４を印刷・記載し、その広告３とくじ４を連続で等間隔に印刷・記載する。【選択図】図１
0003167903.tif 000002
【実用新案登録請求の範囲】
【請求項１】
レシート類の裏面にレシートとしての最少必要長さよりも短い長さの中に広告とくじを印刷・記載し、その広告とくじを連続で等間隔に印刷・記載したレシート類である。
【請求項２】
前記くじは、後日抽選結果を発表し当選の有無の確認が可能な各種記号・数字の組み合わせ、名称のいずれかである請求項１記載のレシート類。
【請求項３】
前記レシート類がレジペーパーである請求項１記載のレシート類。
【考案の詳細な説明】
【技術分野】
【０００１】  本考案は、会計時にレジスター（キャッシュレジスター）を使用するサービス業にて、そのレジスターに装着し使用できるレジペーパー（レシート用ロール紙）に関する。
【背景技術】
【０００２】  レジペーパー（レシート用ロール紙）には、レジスターの顧客向け売上明細書（レシート）発行機能により、売上情報・店舗情報等が印字され、精算毎にレジペーパーは切断され、レシートとなり顧客に手渡されていた。このレジペーパーの広告効果に注目し、予め特定間隔で印字面の裏面に広告を印刷したレジペーパーがあった。
【考案の概要】
【考案が解決しようとする課題】
【０００３】  解決しようとする問題点は、売上情報・店舗情報等の印字面の裏面に広告が単独で印刷されているため、裏面を見る必然性が無く、広告効果が低かった点である。【０００４】また経理や家計簿等で使用する目的以外にレシートを保存しておく必要性が無く、上記使用以外の多くの人が広告を見ること無く捨てていたため、保持してもらえる期間も短かった。そのため広告効果が低かった点である。
【課題を解決するための手段】
【０００５】  そこで本考案は、裏面に印刷された広告と共にくじを記載することにより、課題を解決したものである。【０００６】  つまり、レジペーパーの裏面にレシートとしての最少必要長さよりも短い長さの中に広告とくじを印刷・記載し、その広告とくじを連続で等間隔に印刷・記載したレジペーパーである。【０００７】  前記のレシートとしての最少必要長さとは、購入点数が１点であった時に売上情報、店舗情報等を印字して切断される長さである。【０００８】  前記のくじとは、各種記号・数字の組み合わせ等のことで、後日抽選結果を発表し当選の有無を確認するものである。【０００９】  レシートとしての最少必要長さよりも、広告とくじを印刷・記載する長さを短くすることにより、顧客は裏面に必ず各１つは広告とくじの印刷・記載を見ることができる作用がある。例えば広告の途中でレジペーパーが切断されたとしても、次回購入者のレシート裏面上部には広告の下部が印刷されているが、レシート裏面下部には広告の下部付近までが印刷されるため、広告全体の情報が欠損することは無い。【００１０】  また購入点数が多くなればレシートの長さが長くなり、くじの記載回数が多くなる可能性があり、これには販売促進の作用がある。
【考案の効果】
【００１１】  本考案は、裏面に必ず各１つは広告とくじの印刷・記載を見ることができるため、裏面を見る必然性を有した。そのため広告効果を高め、課題を解決したものである。【００１２】  また本考案は、くじを記載したことにより購入時にくじの記載回数を確認する時、保存・整理等の時、抽選結果発表の時と裏面の広告を見る頻度を有した。そのため広告効果を高め、課題を解決したものである。
【図面の簡単な説明】
【００１３】
【図１】本考案の一実施の形態を示すレジペーパー裏面側の斜視図である。
【図２】本考案の他の実施の形態を示すチケット裏面側の斜視図である。
【考案を実施するための形態】
【００１４】  以下本考案における実施の形態を、図面を参照しながら説明する。
【実施例１】
【００１５】  レジペーパー１の売上情報・店舗情報等の印字面の裏面２に広告３とくじ４を同間隔で繰り返し印刷・記載する。よって広告の間隔５とくじの間隔６は等しい長さとなる。【００１６】  広告３は同じ広告内容が繰り返し印刷され、くじ４は各種記号・数字の組み合わせにより順次異なるものが記載されるものとする。【００１７】  広告の間隔５とくじの間隔６がレシートとしての最少必要長さ７よりも短い長さにすることにより、７ａと７ｂ等どのような場合においても広告３とくじ４の情報が欠損することが無い状態を作り出す。【００１８】  レジペーパー１をレジスター（キャッシュレジスター）に取り付け使用する。【００１９】  売上情報・店舗情報等の印字面に購入点数に応じた情報が印字され、切断されてレシートとして顧客に渡される。【００２０】  購入点数が１点であった時においてもレシートとしての最少必要長さ７よりも短い長さであるため、顧客に渡されたレシートにおいて広告３とくじ４の情報が欠損することが無い。【００２１】  購入点数が複数点であった場合、顧客に渡されたレシートにおいて広告３とくじ４の情報も複数回表示されることがある。【００２２】  顧客は渡されたレシートにくじ４の記載回数を確認するため広告３を見る。その後顧客は抽選結果発表まで保持し、その間にも財布から出し、保存・整理等の時に広告３を見る。また抽選結果発表時にも広告３を見る。このことにより顧客は最低でも３回は広告３を見ることとなり、広告効果として高いものと位置づけられる。【００２３】  広告３は出来るだけ広告主が訴求しやすいよう最大限まで長さを大きくし、顧客に渡されたレシートにおいて広告３とくじ４の情報が欠損することが無いように同じ広告内容を繰り返すことを前提としているが、広告３の長さを小さくし広告の間隔５やくじの間隔６を短くすることや、途中で切断されることを広告主が了承する場合においては、異なる数種の広告を連続して印刷することも可能である。【００２４】  くじ４は各種記号・数字の組み合わせにより順次異なるものが記載されることを前提とするが、後日抽選結果を発表し当選の有無を確認出来る名称等のくじ機能を有しているものであれば代替することが可能である。【００２５】  くじ４は広告３の間に位置することとしているが、広告枠の形状によりレシートとしての最少必要長さ７のレシートにおいて広告３とくじ４の情報が欠損することが無ければ別の位置に記載することも可能である。【００２６】  本考案は、レジペーパー以外に銀行等のＡＴＭ（現金自動預け払い機）、駐車場の入場時間等を示すチケット、有料道路の入場時間等を示すチケットや、新聞折込やポケットティッシュ等の印刷物全般において、会計に関わらない分野でも広告とくじを印刷・記載することにより活用することが可能である。【００２７】本明細書においてはレジペーパー、チケット類、その他上記印刷物を含めて「レシート類」と呼ぶものとする。
【産業上の利用可能性】
【００２８】本考案は、レジペーパー、各種チケットを使用する流通産業の分野、及び該レジペーパー類を製造・販売する産業の分野において利用可能である。
【符号の説明】
【００２９】１  レジペーパー
２  裏面
３  広告
４  くじ
５  広告の間隔
６  くじの間隔
７  表面印字に必要な最少長さ
【図１】
0003167903.tif 000003
【図２】
0003167903.tif 000004